(57)【要約】【課題】軽量で汚損することがない紙製の培土を提供することにある。【解決手段】ウエブを切断したテープを吸湿させ、吸湿した前記テープを紙撚り機構に供給して充分に撚ることにより細紐材に成形し、前記細紐材を短尺に切断して粒材にしてなる。【選択図】  なし【特許請求の範囲】
【請求項１】
ウエブを切断したテープを吸湿させ、吸湿した前記テープを紙撚り機構に供給して充分に撚ることにより細紐材に成形し、前記細紐材を短尺に切断して粒材にしてなる紙製培土。
【請求項２】
紙原反ロールから繰り出されるウエブを並列する複数の細幅のテープに切断し、前記テープをスチーム供給機構を通過させて吸湿させ、吸湿したテープを紙撚り機構に供給して充分に撚ることにより細紐材に成形し、前記細紐材を短尺に切断して粒材にするようにしたことを特徴とする紙製培土の製造方法。
【請求項３】
ウエブは水溶紙、水解紙である請求項１に記載の紙製培土。
【発明の詳細な説明】
【０００１】
【発明の属する技術分野】
本発明は、紙のウエブによって成形した紙製培土及びその製造方法に関するものである。
【０００２】
【従来の技術】
紙などを原料として利用した培土として、古紙のリサイクル工程で排出される製紙スラッジを熱処理、物理的処理及び／化学的処理して得られたリン酸吸収係数が５００ｍｇ／１００ｇ以上であるアニオン吸収剤を含む培土が知られている（例えば、特許文献１）。
【０００３】
【特許文献１】
特開２００２−５８３３４
【０００４】
【発明が解決しようとする課題】
上記した従来の培土は、製紙スラッジを熱処理するとともに物理的、化学的処理をする必要があるので、著しく手間が掛かって高価になるため実用的ではないし、広範に利用することができない。また、吸水性が少ないので培土としての機能が少なくて、使用目的が限定される。
したがって、本発明の目的は、きわめて簡単に製造することができるばかりでなく吸水性が著しく高いので、あらゆる用途に利用することができる紙製培土、及びその製造方法を提供することにある。
【０００５】
【課題を解決するための手段】
上記の目的を達成するために、本発明の請求項１に記載の発明は、ウエブを切断したテープを吸湿させ、吸湿した前記テープを紙撚り機構に供給して充分に撚ることにより細紐材に成形し、前記細紐材を短尺に切断して粒材にしてなる紙製培土に関するものである。
【０００６】
また本発明の請求項２に記載の発明は、紙原反ロールから繰り出されるウエブを並列する複数の細幅のテープに切断し、前記テープをスチーム供給機構を通過させて吸湿させ、吸湿したテープを紙撚り機構に供給して充分に撚ることにより細紐材に成形し、前記細紐材を短尺に切断して粒材にするようにしたことを特徴とする紙製培土の製造方法に関するものである。
【０００７】
【発明の実施の形態】
以下に本発明を図面に示す実施の態様に基づいて説明する。
本発明は、紙原反ロールから繰り出されるウエブを並列する複数の細幅のテープ状ウエブに切断し、前記ウエブをスチーム供給機構を通過させて吸湿させ、吸湿したウエブを紙撚り機構に供給して充分に撚ることにより細紐材に成形し、前記細紐材を短尺に切断するようにして製造するのである。
【０００８】
したがって、このようにして製造された紙製培土は、ウエブが吸湿状態で撚られているので、撚りが戻ることがなくて安定した粒状であるから、例えばプランターやカップに収納して卓上に置き、手軽に栽培できる野菜類の培土用として利用することができる。
【０００９】
次に本発明の製造方法を図面に示す実施例に基づいて詳細に説明する。
本発明の製造方法は、第１工程として、紙原反ロールＲから繰り出されるウエブＷを第１テンション機構１に供給して紙質を安定化させ、紙質が安定したウエブＷをスリッター機構２に供給して幅方向に並列する複数の細幅のテープＴに切断し、複数本のテープＴを第１リール機構３で巻き取って並列するテープロールを形成する。
【００１０】
前記紙原反ロールＲは、バージンパルプであれば横幅が１，６１０ｍｍ、長さが５，０００ｍ程度の紙ウエブを巻成してなるものであるが、古紙若しくは損紙のロールを使用することもできる。そして、ウエブＷとしては水溶紙、水解紙を使用するのが好ましい。
【００１１】
前記第１テンション機構１は、複数のテンションロール１１を並設し、各テンションロール１１間に張力を与えながらウエブＷを通過させるもので、ウエブＷに張力が作用するために紙繊維が整って紙質が安定になる。
【００１２】
前記スリッター機構２は、フレーム２１の内部に上下のガイドロール２２とカッターロール２３とをウエブの進行方向に沿い並列するように設け、通過するウエブＷを横幅が５０ｍｍ程度のテープに切断し、フレーム２１から繰り出させて第１リール機構３に巻き付かせる。
【００１３】
紙原反ロールＲは、横幅が１，６１０ｍｍであれば、テープの幅が５０ｍｍであるから約３２本のテープが並列してフレーム２１から繰り出され、第１リール機構３に巻き付かれることになる。
【００１４】
本発明の第２工程としては、前記第１リール機構３のテープを第２テンション機構４に供給して紙質を安定化させ、紙質が安定したテープをスチーム供給機構５に供給して吸湿させ、充分に吸湿したテープを紙撚り機構６に供給して充分に撚ることにより細紐材を成形し、前記細紐材を第２リール機構７に巻き取るのである。
【００１５】
前記第２テンション機構４は、前記第２テンション機構１と同様に複数本のテンションロール４１を並設し、各テンションロール４１間に張力を与えながらテープを通過させるもので、テープに張力が作用するために紙繊維が整って紙質が安定になる。
【００１６】
そして、前記スチーム供給機構５は、スチームが充満するスチーム枠体５１の内部に前記テープを供給して通過させ、通過する過程でテープを吸湿させるのである。前記スチーム枠体５１にスチームを充満させるには、例えばスチーム枠体５１の内部に水を貯留させて外部から加熱し、水を蒸発させてスチーム枠体５１の内部に充満させてもよい。また、スチーム枠体５１の一端にスチームの供給路を接続し、他端に排出路を接続してスチームを通過させるようにしてもよい。
そして、前記テープはスチーム枠体５１の一端から流入させて他端から流出させる。
【００１７】
いずれにしても、高温多湿のスチームが充満しているスチーム枠体５１の内部をテープが通過することにより、テープが著しく柔軟なウエット状態になって繰り出されることになる。
スチーム枠体５１の内部において、湿度が１００％で１２０℃程度の雰囲気であれば、テープが通過する時間としては３〜２０秒、望ましくは５〜１５秒に設定するのが望ましい。３秒以下ではテープが充分にウエット状態にならないし、２０秒以下では多湿すぎて強度が低下するため、通過途中で切断する可能性がある。
【００１８】
スチーム枠体５１から繰り出されるテープは、そのまま前記紙撚り機構６に供給されて細紐材に成形される。この場合、テープが３２本並列してスチーム供給機構５から繰り出されるのであれば、紙撚り機構６の内部には３２の紙撚り部を設けてあり、各テープを個別に撚って長尺なこより状の細紐材に成形し、第２リール機構７に巻き取らせる。
前記紙撚り機構６は、こより製造装置として従来から使用されているものを利用することができる。そして、紙撚り機構６から繰り出されるこより状の細紐材は、強制通風により若しくは自然状況により乾燥させる。
【００１９】
したがって、第２リール機構７に巻き取られる乾燥した細紐材は、複数本が近接状に並列することになり、長尺に巻き取られると各細紐材の細いロールが重合してロール材になる。しかし、繰り出されてくる複数本の細紐材を第２リール機構７にランダムに巻き取るようにしてもよい。
【００２０】
本発明の第３工程においては、前記第２リール機構７のロール状の細紐材を繰り出させてカッター機構８で２〜２０ｍｍ程度の長さに切断して粒材にするとともに、カッター機構８のテーブルにエアーを吹き付けるエアー機構８１によって前記粒材を吹くことにより製品タンク９の内部に供給し、前記製品タンク９内から計量機構１０により定量宛を計測して取り出して袋詰めにするのである。
【００２１】
前記カッター機構８は、回転するカッターロール方式であっても、ギロチンカッター方式であっても使用することができる。また、エアー機構は、カッター機構８のテーブルに溜まる粒材を製品タンク９にまで吹き飛ばして供給するのである。
【００２２】
したがって、本発明によれば前記第１工程から第３工程を順に通過させることにより、繰り出されるウエブから紙製の粒材をきわめて簡単に成形することができ、特にテープにスチームを接触させて多湿にすることにより、撚ってこより状にした細紐材が著しく強固になり、撚りが戻ることがないし強度がきわめて高くなるため、製造工程で切断することがないし、切断工程で長さが揃うので製品としての価値が高くなる。
【００２３】
以上本発明を図面に示す実施例に基づいて説明したが、本発明は前記実施例に限定されるものではなく、特許請求の範囲に記載の構成を変更しない限りどのようにでも実施することができる。
例えば、ウエブとしてバージンパルプの紙原反ロールを使用するのではなく、古紙若しくは損紙のロール材若しくはシート材を使用することができる。また、複数の着色した紙のウエブを使用すると植物の栽培土において著しく色彩豊かになって特にテーブル上での植物栽培において装飾効果が高くなるし、香料入りのウエブを使用すると培土の周辺に香気を漂わせることができるので室内の雰囲気を良好にすることができる。
【００２４】
【発明の効果】
以上要するに、本発明はウエブを切断したテープを吸湿させ、吸湿した前記テープを紙撚り機構に供給して充分に撚ることにより細紐材に成形し、前記細紐材を短尺に切断して粒材にしてなるので、水を与えたとしても形状が安定する。したがって、プランターやポットに充填して水や肥料を供給し、貝割れ大根、パセリ、しそ等の食材用植物の栽培用として有効に使用することができる。
また、原材料が紙質であるから軽量であるばかりでなく、室内や食卓で植物を栽培したり手で扱っても汚損することがない。
したがって、ポット、種、及び本発明の培土とをセットにして販売すると、斬新で変化に富む商品を提供することができる。
そして、本発明によれば製造工程が著しく簡単であるし、低廉に大量生産することができる。
【００２５】
また、ウエブとして水溶紙、水解紙を使用すると、使用後にトイレに流すことができるので、廃棄処理がきわめて簡単になり、実用的価値の高いものとなる。
【図面の簡単な説明】
【図１】本発明の第１工程の概略系統図である。
【図２】本発明の第２工程の概略系統図である。
【図３】本発明の第３工程の概略系統図である。
【符号の説明】
１  第１テンション機構
２  スリッター機構
３  第１リール機構
４  第２テンション機構
５  スチーム供給機構
６  紙撚り機構
７  第２リール機構
８  カッター機構
９  製品タンク
１０  計量機構
【図１】
2004305106.tif 000002
【図２】
2004305106.tif 000003
【図３】
2004305106.tif 000004